(57)【特許請求の範囲】
【請求項１】
電気光学パネルと、
底板部と、複数の辺部および該複数の辺部のうちの隣り合う辺部同士を繋ぐ複数の角部をもって電気光学パネルの周りを囲む側壁部とを備えた金枠と、
を有し、
該側壁部は、前記辺部と前記角部とを前記底板部の外縁を起立させて形成されており、
前記複数の辺部のうちの一部あるいは全ての辺部は、内面同士が対向し合う辺部側折り曲げ部を備え、
前記複数の角部のうちの一部あるいは全ての角部は、前記複数の辺部のうち、両側の辺部に形成された前記辺部側折り曲げ部と連続して内面同士が対向し合う角部側折り曲げ部を備えていることを特徴とする電気光学装置。
【請求項２】
前記複数の辺部の全てが前記辺部側折り曲げ部を備え、
前記複数の角部の全てが前記角部側折り曲げ部を備えていることを特徴とする請求項１に記載の電気光学装置。
【請求項３】
前記辺部側折り曲げ部付き辺部のうちの少なくとも１つは、長手方向の一部に切り欠きが形成された切り欠き付き辺部になっており、
当該切り欠き付き辺部では、前記切り欠きを除く部分に前記辺部側折り曲げ部が形成されていることを特徴とする請求項１または２に記載の電気光学装置。
【請求項４】
前記辺部側折り曲げ部付き辺部のうちの少なくとも１つは、長手方向の一部に切り欠きが形成された切り欠き付き辺部になっており、
当該切り欠き付き辺部では、前記切り欠きを含む全体に前記辺部側折り曲げ部が形成されていることを特徴とする請求項１または２に記載の電気光学装置。
【請求項５】
前記金枠は、インサート成型により樹脂部分と一体化された複合部品になっていることを特徴とする請求項１乃至４の何れか一項に記載の電気光学装置。
【請求項６】
前記樹脂部分は、前記金枠の内側に設けられていることを特徴とする請求項５に記載の電気光学装置。
【請求項７】
請求項１乃至６の何れか一項に記載の電気光学装置を備えていることを特徴とする電子機器。
【発明の詳細な説明】
【技術分野】
【０００１】
本発明は、金枠の内側に電気光学パネルが収容された電気光学装置、および該電気光学装置を備えた電子機器に関するものである。
【背景技術】
【０００２】
電気光学装置は、一般に、電気光学パネルが他の部材とともに金枠に収容された構造になっており、金枠において、電気光学パネルの周りを囲む側壁部は、複数の辺部と、複数の辺部のうちの隣り合う辺部の間に設けられた複数の角部を備えている。ここで、金枠は、比較的薄い金属板からなるため、側壁部のうち、角部分を除く辺部については、内面同士が対向し合うように折り曲げた構造、いわゆるヘミング加工構造とすることが提案されている（例えば、特許文献１参照）。
【先行技術文献】
【特許文献】
【０００３】
【特許文献１】特開２００９−３１７５６号公報
【発明の概要】
【発明が解決しようとする課題】
【０００４】
電気光学装置については、さらに強度を高めることが要求されているが、特許文献１に記載の構成では、これ以上、強度を高めることが困難であるという問題点がある。
【０００５】
以上の問題点に鑑みて、本発明の課題は、金枠の強度を高めることのできる電気光学装置、および該電気光学装置を備えた電子機器を提供することにある。
【課題を解決するための手段】
【０００６】
上記課題を解決するために、本発明に係る電気光学装置は、電気光学パネルと、複数の辺部および該複数の辺部のうちの隣り合う辺部同士を繋ぐ複数の角部をもって電気光学パネルの周りを囲む側壁部を備えた金枠と、を有し、前記複数の辺部のうちの一部あるいは全ての辺部は、内面同士が対向し合う辺部側折り曲げ部を備え、前記複数の角部のうちの一部あるいは全ての角部は、前記複数の辺部のうち、両側の辺部に形成された前記辺部側折り曲げ部と連続して内面同士が対向し合う角部側折り曲げ部を備えていることを特徴とする。
【０００７】
本発明では、電気光学パネルを保持する金枠の側壁部において、一部あるいは全ての辺部は、内面同士が対向し合う辺部側折り曲げ部が連続して形成された折り曲げ部付き辺部になっているとともに、一部あるいは全ての角部は、辺部側折り曲げ部と連続して内面同士が対向し合う角部側折り曲げ部が形成された折り曲げ部付き角部になっている。このため、金枠は、強度が極めて高いので、電気光学装置の耐落下性能等を向上することができる。
【０００８】
本発明において、前記複数の辺部の全てが前記辺部側折り曲げ部を備え、前記複数の角部の全てが前記角部側折り曲げ部を備えていることが好ましい。このように構成すると、金枠の強度を大幅に高めることができる。
【０００９】
本発明において、前記折り曲げ部付き辺部のうちの少なくとも１つは、長手方向の一部に切り欠きが形成された切り欠き付き辺部になっており、この場合、当該切り欠き付き辺部では、前記切り欠きを除く部分に前記辺部側折り曲げ部が形成されている構成を採用することができる。
【００１０】
本発明において、前記折り曲げ部付き辺部のうちの少なくとも１つは、長手方向の一部に切り欠きが形成された切り欠き付き辺部になっており、当該切り欠き付き辺部では、前記切り欠きを含む全体に前記辺部側折り曲げ部が形成されている構成を採用してもよい。
【００１１】
本発明において、前記金枠は、インサート成型により樹脂部分と一体化された複合部品になっている構成を採用することができる。
【００１２】
この場合、前記樹脂部分は、前記金枠の内側に設けられていることが好ましい。このように構成すると、樹脂部分によって寸法や形状に高い精度を得ることができる。
【００１３】
本発明を適用した電気光学装置は、モバイルコンピュータ、携帯電話、カーナビゲーション、パーソナルコンピュータ等の電子機器に用いられる。
【図面の簡単な説明】
【００１４】
【図１】本発明の実施の形態１に係る電気光学装置の全体構成を示す説明図である。
【図２】本発明の実施の形態１に係る電気光学装置の内部構成を示す説明図である。
【図３】本発明の実施の形態１に係る電気光学装置の要部を拡大して示す説明図である。
【図４】本発明の実施の形態１に係る電気光学装置に用いたフレームの説明図である。
【図５】本発明の実施の形態１に係る電気光学装置に用いた金枠に折り曲げ部を形成する方法を示す説明図である。
【図６】本発明の実施の形態２に係る電気光学装置に用いたフレームの説明図である。
【図７】本発明の実施の形態２に係る電気光学装置に用いた金枠に折り曲げ部を形成する方法を示す説明図である。
【図８】本発明に係る電気光学装置を備えた電子機器の説明図である。
【発明を実施するための形態】
【００１５】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００１６】
［実施の形態１］
（電気光学装置の全体構成）
図１は、本発明の実施の形態１に係る電気光学装置の全体構成を示す説明図であり、図１（ａ）、（ｂ）は、電気光学装置の斜視図、およびその分解斜視図である。図２は、本発明の実施の形態１に係る電気光学装置の内部構成を示す説明図であり、図２（ａ）、（ｂ）は、本発明の実施の形態１に係る電気光学装置を図１（ａ）のＡ１−Ａ１′線、およびＢ１−Ｂ１′線に相当する位置で切断したときの様子を模式的に示す断面図である。図３は、本発明の実施の形態１に係る電気光学装置の要部を拡大して示す説明図であり、図３（ａ）、（ｂ）、（ｃ）は各々、本発明の実施の形態１に係る電気光学装置の図１（ａ）のＡ１側端部の構成を拡大して示す断面図、Ｂ１側端部の構成を拡大して示す断面図、および角部分を通る位置（Ｄ１側端部）を拡大して断面図である。
【００１７】
図１（ａ）、（ｂ）、および図２（ａ）、（ｂ）に示すように、本形態の電気光学装置１００は、透過型あるいは半透過反射型の液晶パネルからなる電気光学パネル１と、この電気光学パネル１の背面側に配置された照明装置８（バックライト装置）とを有しており、照明装置８および電気光学パネル１は、平面矩形形状のフレーム９の内側に保持されている。
【００１８】
フレーム９の詳細な構成は後述するが、フレーム９は、矩形枠状の樹脂フレーム９１（樹脂部分）と、この樹脂フレーム９１を外側で支持する箱状の金枠９２とからなる。樹脂フレーム９１と金枠９２とは、インサート成形あるいはアウトサート成形により一体化された複合部品として構成されている。かかる構成によれば、金枠９２を用いたので、フレーム９を薄型化しても高い強度を確保することができる。また、樹脂フレーム９１は、金枠９２の内側に設けられており、かかる樹脂フレーム９１は金枠９２に比して寸法や形状の精度が高い。それ故、フレーム９の内側に電気光学パネル１や照明装置８を好適に配置することができる。また、樹脂フレーム９１は、電気光学パネル１や照明装置８に対するクッションとしても機能する。
【００１９】
樹脂フレーム９１は４つの辺部９１７（辺部９１７ａ〜９１７ｄ）を備えている。かかる４つの辺部９１７のうち、フレキシブル基板７の引き出し側に位置する１つの辺部９１７ａには切り欠き９１４が形成されており、残り３つの辺部９１７ｂ〜９１７ｄの内側には、電気光学パネル１を上面で受ける段部９１１が形成されている。本形態において、段部９１１は、３つの辺部９１７ｂ〜９１７ｄの内周に連続して形成されており、辺部９１７の間に設けられた角部では三角部分９１２になっている。
【００２０】
電気光学パネル１は、素子基板１１と、この素子基板１１の第１面１１ａ（一方面）に対向配置された対向基板１２と、基板周縁部で素子基板１１と対向基板１２とを貼り合わせる矩形枠状のシール材１３とを備えており、素子基板１１、対向基板１２およびシール材１３により形成された空間内に保持された液晶層１４が保持されている。素子基板１１は、対向基板１２の端部より突出する張り出し領域１８を備えている。本形態において、素子基板１１および対向基板１２はいずれも、基体がガラス等の透光性の絶縁基板である。
【００２１】
素子基板１１において対向基板１２に対向する第１面１１ａ上には島状のＩＴＯ（Indium Tin Oxide）膜やＩＺＯ（Indium Zinc Oxide）膜からなる画素電極１６や、画素スイッチング素子、走査線やデータ線等の信号線（図示せず）等が形成され、画素電極１６を覆うようにポリイミド等からなる配向膜（図示せず）が形成されている。本形態において、電気光学パネル１は、インプレーンスイッチング（以下、ＩＰＳ(In Plane Switching)という）方式や、フリンジフィールドスイッチング（以下、ＦＦＳ（Fringe Field Switching）という）方式の液晶パネルであり、横電界により液晶層１４を駆動する。従って、素子基板１１にはＩＴＯ膜やＩＺＯ膜からなる共通電極１７も形成されている。このため、対向基板１２において素子基板１１と対向する第１面１２ａには、共通電極１７が形成されていない。ＩＰＳ方式の場合、画素電極１６と共通電極１７が横方向で対向する構成が採用され、ＦＦＳ方式の場合、画素電極１６および共通電極１７は誘電体膜を挟んで上下の異なる層に形成された構成が採用される。但し、図２（ａ）、（ｂ）等では、ＦＦＳ方式の場合もＩＰＳ方式と同様、画素電極１６と共通電極１７が横方向で対向するように模式的に示してある。なお、対向基板１２の第１面１２ａにはカラーフィルター（図示せず）等が形成されることもある。また、電気光学パネル１は、ＴＮ（Twisted Nematic）方式、ＥＣＢ（Electrically Controlled Birefringence）方式、あるいはＶＡＮ（Vertical Aligned Nematic）方式の液晶パネルとして構成される場合があり、この場合、素子基板１１に画素電極１６が形成され、対向基板１２に共通電極が形成される。
【００２２】
かかる電気光学パネル１において、対向基板１２では、素子基板１１と対向する第１面１２ａとは反対側の第２面１２ｂに上偏光板４１が重ねて配置されている。素子基板１１では、対向基板１２と対向する第１面１１ａとは反対の第２面１１ｂの側に、下偏光板４２を含む複数枚の光学シート〈光学部品〉が重ねて配置されている。このように構成した電気光学装置１００では、照明装置８から出射された光が素子基板１１の側から入射し、かかる入射光を光変調して対向基板１２の側から出射して画像を表示する。
【００２３】
図１（ｂ）、図２（ａ）および図３（ａ）に示すように、素子基板１１の張り出し領域１８には、駆動用ＩＣ９８が異方性導電フィルム等により実装されており、張り出し領域１８の端部には、フレキシブル基板７が接続されている。このため、外部から供給される各種信号や電源を、フレキシブル基板７を介して電気光学パネル１に入力することができる。フレキシブル基板７では、その本体部分７８から帯状部分７２が延びており、かかる帯状部分７２の先端部には、長さ方向を電気光学パネル１の幅方向に向けた光源実装部７１が形成されている。光源実装部７１には、照明装置８の点状光源３が実装されており、点状光源３には、フレキシブル基板７を介して光源駆動用電圧が供給される。フレキシブル基板７において、点状光源３が実装されている面側には、表面実装型のキャパシタ等電子部品３５も実装されている。点状光源３は表面実装型の白色ＬＥＤであり、フレキシブル基板７の光源実装部７１の面に対して平行な方向に出射光軸Ｌを向けて所定の間隔で複数、実装されている。フレキシブル基板７は多層基板あるいは両面基板であり、光源実装部７１を点状光源３が実装されている側とは反対側からみたとき、点状光源３が実装されている領域と平面視で重なる領域には、導電パターン７４２が形成されている。導電パターン７４２はベタのグランドパターンであり、所定領域にわたって隙間なく一面に形成されている。このため、導電パターン７４２は、点状光源３に対する遮光用、電磁シールド用、あるいは放熱用に利用される。
【００２４】
（照明装置８の全体構成）
照明装置８は、電気光学パネル１の素子基板１１に光放出面６ａを向ける略矩形の導光板６（光学部品）と、導光板６の端部６ｅに沿うように配置された白色ＬＥＤからなる複数の点状光源３とを有している。また、照明装置８は、導光板６において光放出面６ａとは反対側の裏面６ｂに重ねて配置された反射シート２７（光学部品）を備えている。さらに、照明装置８は、導光板６の光放出面６ａの側に、光学シート（光学部品）として、矩形状の散乱板２３、矩形状のプリズムシート２４、および矩形状のプリズムシート２５を備えている。導光板６は、点状光源３から出射された光を電気光学パネル１の面内に均一に照射するためのものであり、アクリル樹脂やポリカーボネート等の透光性材料からなる。散乱板２３は、表示画面内の光の輝度をより均一化させるためのものである。プリズムシート２４、２５は、出射光の配向角を調整し、正面の輝度を向上させるためのものである。
【００２５】
導光板６の端部６ｅには、その辺に沿って所定の間隔に切り欠き状の光源配置穴６１が形成されており、その内壁の１つが、点状光源３から出射された光が入射する光入射部６１ａになっている。従って、フレキシブル基板７において、光源実装部７１の点状光源３が実装されている側の面が下向きとなるように帯状部分７２を折り曲げて、導光板６の端部６ｅに光源実装部７１を重ねると、複数の点状光源３は各々、光出射面３ａを光入射部６１ａに向けて光源配置穴６１に配置される。かかる状態を保持することを目的に、導光板６の端部６ｅに沿っては、両面に粘着層が形成された遮光シート２９が貼られている。遮光シート２９には、導光板６の光源配置穴６１と平面視で重なる位置に矩形の開口部２９１が形成されている。従って、遮光シート２９の上にフレキシブル基板７の光源実装部７１を重ねると、開口部２９１を介して複数の点状光源３が各々、光源配置穴６１に配置される。
【００２６】
本形態の電気光学装置１００では、電気光学パネル１をフレーム９の内側に固定するにあたって、図１（ｂ）、図２（ａ）、（ｂ）、図３（ｂ）、（ｃ）に示すように、樹脂フレーム９１の辺部９１７に形成された段部９１１によって電気光学パネル１の裏面側外周縁を支持するとともに、段部９１１と電気光学パネル１との間に両面テープ２８を配置する。
【００２７】
かかる両面テープ２８は、フィルム基材の両面に粘着層を備えている。このため、両面テープ２８の表面側は、電気光学パネル１に接着するとともに、裏面側がフレーム９の段部９１１に接着する。従って、本形態において、下偏光板４２は、段部９１１の内周縁よりも内側に入るサイズに形成されており、下偏光板４２は、反射シート２７、導光板６、散乱板２３、プリズムシート２４、２５と同様、段部９１１の内側で電気光学パネル１の裏面側に重ねて配置されている。この状態で、下偏光板４２の表面は、段部９１１と略同等の高さ位置にある。このため、電気光学パネル１と下偏光板４２との間には、両面テープ２８の厚さに相当する隙間１９が形成されており、かかる隙間１９は空気層になっている。なお、隙間１９には透光性材料が充填されることもある。両面テープ２８は、厚さが５０〜６０μｍの遮光テープである。両面テープ２８は、下面側が白色あるいは銀色の反射面になっている一方、上面側は黒色の光吸収面になっている。
【００２８】
ここで、両面テープ２８は、段部９１１より幅寸法が大であり、両面テープ２８は、段部９１１からフレーム９の内側に向けて張り出した張り出し部分を備えている。かかる両面テープ２８の張り出し部分の表面側は電気光学パネル１の裏面に接着し、張り出し部分の裏面は、下偏光板４２の表面側端部に接着されている。かかる構成によれば、電気光学パネル１とフレーム９の段部９１１とは両面テープ２８によって直接接着されており、下偏光板４２等といった光学シートを介して接着された構成になっていない。このため、電気光学パネル１の小型化や狭額縁に伴って、非表示領域や下偏光板４２のサイズが小さくなっても、電気光学パネル１と両面テープ２８とを接着する領域が狭くなることはない等の利点がある。
【００２９】
また、上記の構成に代えて、電気光学パネル１の裏面に下偏光板４２を接着剤により貼り付けておき、下偏光板４２の裏面側外周縁と段部９１１との間に両面テープ２８を配置してもよい。このように構成を採用した場合、電気光学パネル１は、下偏光板４２を介して段部９１１に固定されることになる。
【００３０】
（フレーム９の詳細構成）
図４は、本発明の実施の形態１に係る電気光学装置１００に用いたフレーム９の説明図であり、図４（ａ）、（ｂ）、（ｃ）は、フレーム９を斜め上方からみた説明図、フレーム９に用いた金枠９２を切り欠き９２４が形成されている側の斜め上方からみた説明図、および金枠９２を切り欠き９２４が形成されている側とは反対側の斜め上方からみた説明図である。なお、図４（ａ）では、金枠９２の部分をグレーで表してある。
【００３１】
図４（ａ）に示すように、フレーム９は、矩形枠状の樹脂フレーム９１と、この樹脂フレーム９１を外側で支持する箱状の金枠９２とからなり、本形態において、フレーム９は、ステンレス板等の金属板を所定形状に加工した板状の金枠９２をポリカーボネート樹脂等の樹脂によりインサート成形してなる。樹脂フレーム９１は、４つの辺部９１７と４つの角部９１８とを備えている。
【００３２】
金枠９２は、厚さが例えば０．１ｍｍ〜０．３ｍｍ、好ましくは０．２ｍｍの厚さのステンレス鋼板（ＳＵＳ）を加工することによって形成されている。本形態において、金枠９２は、矩形の底板部９２５と、底板部９２５の外縁で起立する側壁部９２６とを備えており、側壁部９２６は、４つの辺部９２７（辺部９２７ａ〜９２７ｄ）と、４つの辺部９２７のうちの隣り合う辺部９２７同士を繋ぐ４つの角部９２８（角部９２８ａ〜９２８ｄ）とを備えている。本形態において、側壁部９２６の高さ寸法は、例えば１ｍｍ〜２ｍｍである。金枠９２において、４つの辺部９２７のうち、フレキシブル基板７の引き出し側に位置する１つの辺部９２７ａは、切り欠き９２４が形成された切り欠き付き辺部になっており、辺部９２７ａにおいて、切り欠き９２４が形成されている部分は、切り欠き９２４を両側で挟む部分９２４ａに比して高さ寸法が低くなっている。
【００３３】
かかるフレーム９において、樹脂フレーム９１は、金枠９２の内側を覆うように形成されている。従って、金枠９２の辺部９２７の内面は、樹脂フレーム９１の辺部９１７で覆われているが、辺部９２７の外面は樹脂フレーム９１で覆われていない。それ故、金枠９２の辺部９２７の外面は露出した状態にある。また、樹脂フレーム９１には底板部が形成されていない。このため、金枠９２の底板部９２５は、上面（内面）および下面（外面）のいずれもが樹脂フレーム９１で覆われておらず、露出した状態にある。但し、樹脂フレーム９１において、辺部９１７で挟まれた角部には、段部９１１から繋がる三角部分９１２が形成されており、かかる三角部分９１２は、金枠９２の底板部９２５の上面（一方面）を部分的に覆っている。
【００３４】
図４（ａ）に示すように、金枠９２の４つの辺部９２７には、金属板の端部が下方に折り返されて内面同士が対向する折り曲げ部９２７ｘ（辺部側折り曲げ部）が連続して形成された複数の折り曲げ部付き辺部が含まれており、本形態では、４つの辺部９２７の全てが折り曲げ部付き辺部になっている。かかる辺部９２７の折り返し構造は、図５を参照して後述するヘミング加工により形成することができる。ここで、辺部９２７では、２枚の金属板が密着している構成、および隙間を介して対向している構成のいずれを採用してもよいが、本形態では、図３（ｂ）に示すように、２枚の金属板の間に隙間が空いており、かかる隙間には樹脂フレーム９１を構成する樹脂が入り込んでいる。このため、樹脂フレーム９１と金枠９２とは、辺部９２７を構成する２枚の金属板の隙間に樹脂が入り込んでいる分、樹脂フレーム９１と金枠９２とが強固に接続されている。
【００３５】
なお、本形態では、４つの辺部９２７のいずれもが、折り曲げ部９２７ｘ（辺部側折り曲げ部）が形成された折り曲げ部付き辺部になっているが、切り欠き９２４が形成された辺部９２７ａでは、図３（ａ）に示すように、切り欠き９２４が形成されている部分に折り曲げ部９２７ｘが形成されていない。但し、辺部９２７ａにおいても、切り欠き９２４を両側で挟む部分９２４ａには折り曲げ部９２７ｘが形成されている。
【００３６】
また、本形態では、金枠９２の４つの角部９２８には、金属板の端部が下方に折り返されて内面同士が対向する折り曲げ部９２８ｘが、両側の辺部９２７から連続して形成された複数の折り曲げ部付き辺部が含まれており、本形態では、４つの角部９２８の全てが折り曲げ部付き角部になっている。このため、金枠９２を薄い金属板により形成してあるが、辺部９２７は強度が大きい。かかる角部９２８の折り返し構造は、図５を参照して後述するヘミング加工により形成することができる。ここで、角部９２８では、２枚の金属板が密着している構成、および隙間を介して対向している構成のいずれを採用してもよいが、本形態では、図３（ｃ）に示すように、２枚の金属板の間に隙間が空いており、かかる隙間には樹脂フレーム９１を構成する樹脂が入り込んでいる。このため、樹脂フレーム９１と金枠９２とは、角部９２８を構成する２枚の金属板の隙間に樹脂が入り込んでいる分、樹脂フレーム９１と金枠９２とが強固に接続されている。
【００３７】
（折り曲げ部９２７ｘ、９２８ｘの形成方法）
図５は、本発明の実施の形態１に係る電気光学装置１００に用いた金枠９２に折り曲げ部を形成する方法を示す説明図である。
【００３８】
本形態の電気光学装置１００に用いた金枠９２を製造するには、まず、１枚の金属板に絞りプレス加工を行なって、図５（ａ）に示すように、矩形の底板部９２５と、底板部９２５の外縁で起立する側壁部９２６とを形成する。その際、側壁部９２６については、４つの辺部９２７と、４つの辺部９２７のうちの隣り合う辺部９２７同士を繋ぐ４つの角部９２８とを備えた構造とする。
【００３９】
次に、図５（ｂ）に示すように、角部９２８を内側に曲げる。その後、図５（ｃ）に示すように、辺部９２７および角部９２８を連続して内側に折り曲げ、内面同士が対向する折り曲げ部９２７ｘ（辺部側折り曲げ部）および折り曲げ部９２８ｘ（角部側折り曲げ部）を連続して形成する。なお、切り欠き９２４が形成された辺部９２７ａでは、切り欠き９２４を両側で挟む部分９２４ａのみに折り曲げ部９２７ｘを形成する。
【００４０】
（本形態の主な効果）
以上説明したように、本形態の電気光学装置１００に用いた金枠９２では、全ての辺部９２７が、内面同士が対向し合う折り曲げ部９２７ｘ（辺部側折り曲げ部）が連続して形成された折り曲げ部付き辺部になっているとともに、全ての角部９２８が、折り曲げ部９２７ｘと連続して内面同士が対向し合う折り曲げ部９２８ｘ（角部側折り曲げ部）が形成された折り曲げ部付き角部になっている。このため、金枠９２は、薄い金属板で構成されているが、強度が極めて高い。特に本形態では、全ての辺部９２７に折り曲げ部９２７ｘを形成し、全ての角部９２８に折り曲げ部９２８ｘを形成したため、捩れ等の負荷に対して強度が高い。それ故、電気光学装置１００の落下試験等において、電気光学装置１００に大きな衝撃が加わっても、電気光学パネル１に割れ等が発生しない。
【００４１】
また、本形態において、金枠９２は、インサート成型により樹脂フレーム９１（樹脂部分）と一体化されたフレーム９（複合部品）になっている。また、樹脂フレーム９１（樹脂部分）は金枠９２の内側に設けられている。ここで、樹脂フレーム９１は、金型により寸法や形状が規定され、精度が高い。それ故、金枠９２の側壁部９２６に対して折り曲げ部９２７ｘ、９２８ｘを設けたことに起因して寸法や形状の精度が低下した場合でも、フレーム９全体としては、寸法や形状の精度が高い。
【００４２】
［実施の形態２］
図６は、本発明の実施の形態１に係る電気光学装置１００に用いたフレーム９の説明図であり、図６（ａ）、（ｂ）、（ｃ）は、フレーム９を斜め上方からみた説明図、フレーム９に用いた金枠９２を切り欠き９２４が形成されている側の斜め上方からみた説明図、および金枠９２を切り欠き９２４が形成されている側とは反対側の斜め上方からみた説明図である。なお、図６（ａ）では、金枠９２の部分をグレーで表してある。図７は、本発明の実施の形態２に係る電気光学装置１００に用いた金枠９２に折り曲げ部を形成する方法を示す説明図である。なお、本形態の基本的な構成は、実施の形態１と同様であるため、共通する部分には同一の符号を付してそれらの説明を省略する。
【００４３】
図６（ａ）、（ｂ）、（ｃ）に示すように、本形態の電気光学装置でも、実施の形態１と同様、フレーム９は、矩形枠状の樹脂フレーム９１と、この樹脂フレーム９１を外側で支持する箱状の金枠９２とからなり、本形態において、フレーム９は、ステンレス板等の金属板を所定形状に加工した板状の金枠９２をポリカーボネート樹脂等の樹脂によりインサート成形してなる。樹脂フレーム９１は、４つの辺部９１７と４つの角部９１８とを備えている。
【００４４】
本形態でも、実施の形態１と同様、金枠９２は、矩形の底板部９２５と、底板部９２５の外縁で起立する側壁部９２６とを備えており、側壁部９２６は、４つの辺部９２７（辺部９２７ａ〜９２７ｄ）と、４つの辺部９２７のうちの隣り合う辺部９２７同士を繋ぐ４つの角部９２８（角部９２８ａ〜９２８ｄ）とを備えている。金枠９２において、４つの辺部９２７のうち、フレキシブル基板７の引き出し側に位置する１つの辺部９２７ａは、切り欠き９２４が形成された切り欠き付き辺部になっており、辺部９２７ａにおいて、切り欠き９２４が形成されている部分は、切り欠き９２４を両側で挟む部分９２４ａに比して高さ寸法が低くなっている。かかるフレーム９において、樹脂フレーム９１は、金枠９２の内側を覆うように形成されている。
【００４５】
図６（ｂ）に示すように、金枠９２の４つの辺部９２７には、金属板の端部が下方に折り返されて内面同士が対向する折り曲げ部９２７ｘ（辺部側折り曲げ部）が連続して形成された複数の折り曲げ部付き辺部が含まれており、本形態では、４つの辺部９２７の全てが折り曲げ部付き辺部になっている。かかる辺部９２７の折り返し構造は、図７を参照して後述するヘミング加工により形成することができる。なお、本形態では、４つの辺部９２７のいずれにおいても、全体が折り曲げ部９２７ｘ（辺部側折り曲げ部）になっている。すなわち、切り欠き９２４が形成された辺部９２７ａでは、切り欠き９２４が形成されている部分にも折り曲げ部９２７ｘが形成され、切り欠き９２４を両側で挟む部分９２４ａにも折り曲げ部９２７ｘが形成されている。かかる切り欠き９２４の折り返し構造は、図７を参照して後述するヘミング加工により形成することができる。
【００４６】
また、本形態では、金枠９２の４つの角部９２８には、金属板の端部が下方に折り返されて内面同士が対向する折り曲げ部９２８ｘが、両側の辺部９２７から連続して形成された複数の折り曲げ部付き辺部が含まれており、本形態では、４つの角部９２８の全てが折り曲げ部付き角部になっている。このため、金枠９２を薄い金属板により形成してあるが、辺部９２７は強度が大きい。かかる角部９２８の折り返し構造は、図７を参照して後述するヘミング加工により形成することができる。
【００４７】
本形態の電気光学装置１００に用いた金枠９２を製造するには、まず、１枚の金属板に絞りプレス加工を行なって、図７（ａ）に示すように、矩形の底板部９２５と、底板部９２５の外縁で起立する側壁部９２６とを形成する。その際、側壁部９２６については、４つの辺部９２７と、４つの辺部９２７のうちの隣り合う辺部９２７同士を繋ぐ４つの角部９２８とを備えた構造とする。その際、辺部９２７ａにおいて、切り欠き９２４を形成する個所の高さ寸法をやや低くしておく。
【００４８】
次に、図７（ｂ）に示すように、角部９２８を内側に曲げる。また、辺部９２７ａにおいて、切り欠き９２４を形成する個所では、その両側の部分９２４ａから連続して内側に曲げる。次に、図７（ｃ）に示すように、辺部９２７および角部９２８を連続して内側に折り曲げ、内面同士が対向する折り曲げ部９２７ｘ（辺部側折り曲げ部）および折り曲げ部９２８ｘ（角部側折り曲げ部）を連続して形成する。なお、切り欠き９２４を構成する部分にも折り曲げ部９２７ｘを形成する。
【００４９】
以上説明したように、本形態の電気光学装置１００に用いた金枠９２では、実施の形態１と同様、全ての辺部９２７が、内面同士が対向し合う折り曲げ部９２７ｘ（辺部側折り曲げ部）が連続して形成された折り曲げ部付き辺部になっているとともに、全ての角部９２８が、折り曲げ部９２７ｘと連続して内面同士が対向し合う折り曲げ部９２８ｘ（角部側折り曲げ部）が形成された折り曲げ部付き角部になっている。このため、金枠９２は、薄い金属板で構成されているが、強度が極めて高い。特に本形態では、全ての辺部９２７に折り曲げ部９２７ｘを形成し、全ての角部９２８に折り曲げ部９２８ｘを形成したため、捩れ等の負荷に対して強度が高い。それ故、電気光学装置１００の落下試験等において、電気光学装置１００に大きな衝撃が加わっても、電気光学パネル１に割れ等が発生しない等、実施の形態１と同様な効果を奏する。
【００５０】
特に本形態では、４つの辺部９２７のいずれにおいても、全体が折り曲げ部９２７ｘ（辺部側折り曲げ部）になっている。すわわち、切り欠き９２４が形成された辺部９２７ａでは、切り欠き９２４が形成されている部分にも折り曲げ部９２７ｘが形成されている。このため、金枠９２は、側壁部９２６の全周に折り曲げ部９２７ｘ、９２８ｘが形成されているので、強度が極めて高い。それ故、電気光学装置１００の落下試験等において、電気光学装置１００に大きな衝撃が加わっても、電気光学パネル１の割れを確実に防止することができる。
【００５１】
［他の実施の形態］
上記実施の形態１、２では、４つの辺部９２７および４つの角部９２８の全てに折り曲げ部９２７ｘ、９２８ｘを形成したが、４つの辺部９２７のうちの一部に折り曲げ部９２７ｘを形成し、４つの角部９２８の一部に折り曲げ部９２８ｘを形成してもよい。例えば、４つの角部９２８のうち、切り欠き９２４が形成されている辺部９２７ａの両側に位置する角部９２８ａ、９２８ｄのみに折り曲げ部９２８ｘを形成してもよい。
【００５２】
上記実施の形態１、２では、４つの辺部９２７の長さ方向の全体を折り曲げ部９２７ｘとしたが、部分的に折り曲げ部９２７ｘの途切れ部分があってもよい。
【００５３】
上記実施の形態１、２では、金枠９２の底板部９２５の一部のみを樹脂フレーム９１が覆っている構成であったが、金枠９２の底板部９２５の全体を樹脂フレーム９１が覆っている構成であってもよい。
【００５４】
上記実施の形態１、２では、金枠９２が底板部９２５を備えている構成であったが、金枠９２が底板部９２５を備えておらず、側壁部９２６のみを備えている構成であってもよい。あるいは、金枠９２が底板部９２５を備えている構成であるが、底板部９２５に開口部が形成されている構成であってもよい。
【００５５】
上記実施の形態１、２では、金枠９２と樹脂フレーム９１とがインサート成型されている構成であったが、金枠９２単独で用いられる場合に本発明を適用してもよい。
【００５６】
［電子機器への搭載例］
次に、上述した実施形態に係る電気光学装置１００を適用した電子機器について説明する。図８（ａ）に、電気光学装置１００を備えたモバイル型のパーソナルコンピューターの構成を示す。パーソナルコンピューター２０００は、表示ユニットとしての電気光学装置１００と本体部２０１０を備える。本体部２０１０には、電源スイッチ２００１及びキーボード２００２が設けられている。図８（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図８（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００５７】
なお、電気光学装置１００が適用される電子機器としては、図８に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、銀行端末等の電子機器等が挙げられる。そして、これらの各種電子機器の表示部として、前述した電気光学装置１００が適用可能である。
【符号の説明】
【００５８】
１・・電気光学パネル、９・・フレーム、９１・・樹脂フレーム（樹脂部分）、９２・・金枠、１００・・電気光学装置、９２５・・金枠の底板部、９２６・・金枠の側壁部、９２７・・金枠の辺部、９２７ｘ・・折り曲げ部（辺部側折り曲げ部）、９２８・・金枠の角部、９２８ｘ・・折り曲げ部（角部側折り曲げ部）
【図１】
0005518536.tif 000002
【図２】
0005518536.tif 000003
【図３】
0005518536.tif 000004
【図５】
0005518536.tif 000005
【図７】
0005518536.tif 000006
【図８】
0005518536.tif 000007
【図４】
0005518536.tif 000008
【図６】
0005518536.tif 000009